(57)【特許請求の範囲】
【請求項１】
装置に関連したイベントが生起したことを示す可聴音を発生するシステムであって、
第１の装置に関連する第１の指定イベントが生起する際に、該第１の指定イベントの生起を報知するための特徴的可聴音に対応する第１の電気的信号を生成する第１の生成回路と、該第１の電気的信号により第１の特徴的可聴音を発生する第１の発生回路と、該第１の電気的信号を送信する第１の送信回路とを有する第１の装置；および
該第１の電気的信号を受信する第１の受信回路と、受信した該第１の電気的信号により第２の特徴的可聴音を発生する第２の発生回路とを有する第２の装置であって、該第１の装置において該第１の指定イベントが生起した際に第２の特徴的可聴音を発生する第２の装置を含み、
該第２の装置は、その装置に関連する第２の指定イベントが生起する際に、該第２の指定イベントの生起を報知するための特徴的可聴音に対応する第２の電気的信号を生成する第２の生成回路であって、該第２の電気的信号により第３の特徴的可聴音を発生する第２の生成回路と、第２の電気的信号を送信する第２の送信回路とを更に有し、
該第１の装置は、該第２の電気的信号を受信する第２の受信回路を更に有し、ここで、該第１の発生回路は、受信した該第２の電気的信号により第４の特徴的可聴音を発生するようになっていることを特徴とするシステム。
【請求項２】
前記第１の装置と前記第２の装置は電気製品であることを特徴とする請求項１記載のシステム。
【請求項３】
前記第１の装置と前記第２の装置とを相互接続するローカルエリアネットワークをさらに含み、前記第１の電気信号が前記第１の装置から前記第２の装置へと前記ローカルエリアネットワークを介して伝送されるようになっている請求項２記載のシステム。
【請求項４】
前記第１の送信回路、前記第２の送信回路、前記第１の受信回路、および前記第２の受信回路は、無線周波数で、家屋内電気的ワイヤリング、赤外線光、電話ワイヤリング、ＬＡＮワイヤリングからなるグループから選択される媒体を介して通信するようになっている請求項１記載のシステム。
【請求項５】
前記第１の発生回路および前記第２の発生回路は、スピーカ、ブザー、チャイム、ベル、および笛からなるグループから選択されるコンポーネントからなる請求項１記載のシステム。
【請求項６】
前記第１の特徴的可聴音と前記第２の特徴的可聴音は同じ種類であり、前記第３の特徴的可聴音と前記第４の特徴的可聴音は同じ種類である請求項１記載のシステム。
【請求項７】
前記第２の装置は、前記第１の特徴的可聴音が所定の基準を満たすかどうかを決め、もし所定の基準を満たさなければ、前記第１の指定イベントの際に前記第２の装置が前記第２の特徴的可聴音を発生するのを禁止する回路を有する請求項１記載のシステム。
【請求項８】
前記第２の装置は、ユーザが望むように配置できるリモート装置である請求項１記載のシステム。
【請求項９】
前記第１の生成回路は、デジタルシグナルプロセッサーからなる請求項１記載のシステム。
【請求項１０】
前記第１の装置から前記第１の電気的信号を受信し前記第２の装置から前記第１の電気的信号を送信する中央制御ボックスを更に有する請求項１記載のシステム。
【請求項１１】
所与の装置に関連するイベントが生起したことを示す可聴音を発生する方法であって、
第１の装置にて、該第１の装置に関連する第１の指定イベントが生起する際に、該第１の指定イベントの生起を報知するための特徴的可聴音に対応する第１の電気的信号を生成するステップと、
該第１の電気的信号により、該第１の装置にて第１の特徴的可聴音を発生するステップと、
該第１の電気的信号を送信するステップと、
第２の装置にて該第１の電気的信号を受信するステップと、
受信された該第１の電気的信号の受信により、該第２の装置にて第２の特徴的可聴音を発生するステップとを含み、
該第２の装置は、該第１の装置において該第１の指定のイベントが生起した際に該第２の特徴的可聴音を発生するようになっており、そして
該第２の装置にて、該第２の装置に関連する該第２の指定イベントが生起する際に、該第２の指定イベントの生起を報知するための特徴的可聴音に対応する第２の電気的信号を生成するステップと、
該第２の電気的信号を送信するステップと、
該第２の装置にて該第２の電気的信号により第３の特徴的可聴音を発生するステップと、
該第１の装置にて該第２の電気的信号を受信するステップと、
該第１の装置は、該第２の指定イベントが生起した際に、受信した該第２の電気的信号により第４の特徴的可聴音を発生することを特徴とする方法。
【請求項１２】
前記第１の装置と前記第２の装置は家電製品である請求項１１記載の方法。
【請求項１３】
前記第１の装置と前記第２の装置は、ローカルエリアネットワークからなる請求項１２記載の方法。
【請求項１４】
前記第２の装置は、ユーザが望むように配置できるリモート装置である請求項１１記載の方法。
【請求項１５】
前記第１の特徴的可聴音と前記第２の特徴的可聴音は同じ種類であり、前記第３の特徴的可聴音と前記第４の特徴的可聴音は同じ種類である請求項１１記載の方法。
【請求項１６】
前記第２の電気的信号を送信するステップおよび前記第２の電気的信号を受信するステップが、無線周波数、家屋内電気的ワイヤリング、赤外線光、電話ワイヤリング、ＬＡＮワイヤリングからなるグループから選択される媒体を介して行われる請求項１１記載の方法。
【請求項１７】
異なる媒体を通して電気的信号を送受信することができる中央制御ボックスを用いて前記第１の電気的信号をリレーするステップを更に含む請求項１１記載の方法。
【請求項１８】
第１の特徴的アドレス、第１の特徴的可聴音を有し、該第１の特徴的可聴音に対応する電気的信号を通信する手段を有する第１の装置であって、該第１の特徴的可聴音がその装置内における特定イベントの生起を示すものである第１の装置と、
第２の特徴的アドレス、第２の特徴的可聴音を有し、該第２の特徴的可聴音に対応する電気的信号を通信する手段を有する第２の装置であって、該第２の特徴的可聴音がその装置内における特定イベントの生起を示すものである第２の装置と、
該第１の装置および該第２の装置と通信する中央制御ボックスを含み、
該中央制御ボックスにより該第１の特徴的可聴音に対応する該電気的信号を受信した際に、該中央制御ボックスは該第１の特徴的可聴音に対応する該電気的信号を該第２の装置に送信し、該中央ボックスにより該第２の特徴的可聴音に対応する該電気的信号を受信した際に、該中央制御ボックスは該第２の特徴的可聴音に対応する該電気的信号を該第１の装置に送信するようになっていることを特徴とするローカルエリアネットワーク。
【請求項１９】
前記中央制御ボックスは、無線周波数、家屋内電気的ワイヤリング、赤外線光、電話ワイヤリング、ＬＡＮワイヤリングからなるグループから選択される少なくとも１つの媒体を介して信号を受信し、無線周波数、家屋内電気的ワイヤリング、赤外線光、電話ワイヤリング、ＬＡＮワイヤリングからなるグループから選択される少なくとも１つの媒体を介して信号を受信することができるようになっている請求項１８記載のローカルエリアネットワーク。
【請求項２０】
前記中央制御ボックスは、無線周波数、家屋内電気的ワイヤリング、赤外線光、電話ワイヤリング、ＬＡＮワイヤリングからなるグループから選択される複数の媒体を介して信号を受信し、無線周波数、家屋内電気的ワイヤリング、赤外線光、電話ワイヤリング、ＬＡＮワイヤリングからなるグループから選択される複数の媒体を介して信号を受信することができるようになっている請求項１８記載のローカルエリアネットワーク。
【請求項２１】
第１の特徴的アドレス、特定イベントの生起を示す第１の特徴的可聴音を有し、該第１の特徴的可聴音に対応する電気的信号を通信する手段を有する第１の装置であって、該第１の特徴的可聴音がその装置内における特定イベントの生起を示すものである第１の装置と、
第２の特徴的アドレス、第２の特徴的可聴音を有し、該第２の特徴的可聴音に対応する電気的信号を通信する手段を有する第２の装置であって、該第２の特徴的可聴音がその装置内における特定イベントの生起を示すものである第２装置と、
該第１装置および該第２の装置と通信する中央制御ボックスを含み、
該中央制御ボックスにより該第１の特徴的可聴音に対応する電気的信号を受信した際に該中央制御ボックスは該第１の特徴的可聴音に対応する該信号を解釈し、該第１の特徴的可聴音に対応する該電気的信号を該第２の装置に送信するかどうかを決定し、そして該中央制御ボックスにより該第２の特徴的可聴音に対応する該電気的信号を受信した際に、該中央制御ボックスは該第２の特徴的可聴音に対応する該電気的信号を解釈し、該第２の特徴的可聴音に対応する該電気的信号を該第１の装置に送信するかどうかを決定するようになっていることを特徴とするローカルエリアネットワーク構成。
【請求項２２】
前記中央制御ボックスは、無線周波数、家屋内電気的ワイヤリング、赤外線光、電話ワイヤリング、ＬＡＮワイヤリングからなるグループから選択される少なくとも１つの媒体を介して信号を受信し、無線周波数、家屋内電気的ワイヤリング、赤外線光、電話ワイヤリング、ＬＡＮワイヤリングからなるグループから選択される少なくとも１つの媒体を介して信号を受信することができるようになっている請求項２１記載のローカルエリアネットワーク構成。
【請求項２３】
前記中央制御ボックスは、無線周波数、家屋内電気的ワイヤリング、赤外線光、電話ワイヤリング、ＬＡＮワイヤリングからなるグループから選択される複数の媒体を介して信号を受信し、無線周波数、家屋内電気的ワイヤリング、赤外線光、電話ワイヤリング、ＬＡＮワイヤリングからなるグループから選択される複数の媒体を介して信号を受信することができるようになっている請求項２１記載のローカルエリアネットワーク構成。
【発明の詳細な説明】
【０００１】
【発明の属する技術分野】
本発明は、家電製品などのネットワークに関する。
【０００２】
【従来の技術】
図１に示すように、家屋には多くの異なる家電製品がある。これには、テレビジョン、火災警報装置、コンピュータ、電話機、電子レンジ、洗濯機、ドライヤーなどがある。一般にはこれら家電製品は別々のお互い通信しないで動作する別々のエンティティとなっている。
【０００３】
現在ホームローカルエリアネットワーク（ホームＬＡＮ）が開発されており、これはタッチパットのようなネットワークとインターフェースする入力デバイスを用いてパーソナルコンピュータや他の種類のマイクロコンピュータを通してネットワークにつながれた電気装置を制御することを可能にするように設計されている。現在のホームＬＡＮ技術の例としては、ＩＢＭの Home Director System がある。これらシステムは中央位置から製品を制御し監視し、コンピュータモニターやＬＣＤディスプレーを通してビジュアルフィードバックを得ることに制限されている。
【０００４】
また、イヤコン（earcon）が開発されようとしている。イヤコンは、耳にとってのアイコンである。イヤコンは、特定のイベントの発生に対応する区別可能な可聴音信号である。例えば、洗濯機が選択を一端選択すると、洗濯機はユーザの頭に洗濯機のイメージを思い起こさせるような特徴的な音を発し、また、電子レンジは加熱を終了すると同様に特徴的な音を発する。可聴音信号には、任意の方向から発し受けることからという利点があり、運用者が他の仕事に集中して適切な信号を受けた場合にのみ注意力のみを注ぐことを可能にする。このような利点はビジュアルインジケーター環境では得ることはできない。なぜなら、底では運用者は完了した仕事の維持を見るために装置に繰り返し注意力を注がなければならないからである。また、ビジュアルインジケーターはそのインジケーターが含まれる部屋を運用者が出ていった状態であれば利用不能のものとなってしまう。
【０００５】
【発明が解決しようとする課題】
異なる装置に特徴的な可聴音信号を割り当てる別の利点として、装置の運用者が同時に複数の装置を動作させていたりシグナリングをしている装置がある部屋と別の部屋にいるような場合の混乱を無くすことができるということがある。しかし、別の部屋や家の別の階にいる場合に装置の音を聞くためには、装置から離れていたり掃除機のようなノイズが多い環境でも聞こえるように十分に大きく装置から可聴信号を発しなければならない。可聴音インジケーターが広い領域全体で聞こえるようにするためにはデシベルレベルが大きくなってしまい、現実的ではなく、また危険となってしまう。
【０００６】
【課題を解決するための手段】
本発明は、個人に対し装置が所定イベントを行ったことをアラートする方法および装置を提供する。本発明は、装置が行うイベントを表現するように特徴的な可聴音を割り当て、ＬＡＮ全体にその特徴的な可聴音信号を選択された装置に配信する。ＬＡＮにつながった選択装置に特徴的な可聴音信号を配信することにより、選択装置それぞれは同時に同じ可聴音信号を発することができ、発せられる可聴音信号のデシベルレベルを減らすことができ、また、環境全体で広範囲のカバレッジを提供することができる。
【０００７】
【発明の実施の形態】
本発明は、特徴的な可聴音信号を有する装置をお互い接続してネットワークを形成することによって便利さや安全性を改善することができる。ネットワーク内では、モニタリングが望まれる装置が行う各タスクには特徴的な可聴音信号が割り当てられ、これは所定イベントの発生の際に生成される。所定イベントの発生の際には、ネットワークの他の装置から生成された信号が発せられる。
【０００８】
図２は本発明の好ましい形態を示す。家中には、電話機２２、テレビジョン２４、コンピュータ２６、電子レンジ２８、洗濯乾燥機３０、火災警報機３２を含む。家屋１０に示した各アイテムは伝統的な家であるような装置を示してあり、いろいろな装置や数の装置が可能である。第１表は装置が行う所定イベントが割り当てることができる特徴的な信号の例である。
【０００９】
0003953707.tif 000002
【００１０】
装置がイベントを行うとその装置はその装置にユニークな信号を生成する。例えば、もし火災警報機３２が火災を検出したら、火災警報機３２は信号７を生成する。信号７は火災警報機３２が火災を検出したことを表す。信号であり、火災警報機３２により発せられる。信号７の電気的表現が、電話機２２、テレビジョン２４、コンピュータ２６、電子レンジ２８、洗濯乾燥機３０に送信され、各装置が電気信号を解釈し火災警報機３２が火災を検出したことを示す信号７の表現を発する。各装置が発した可聴音信号は、特定のイベントに対してネットワーク上の各装置において同じであっても異なっていてもよい。例えば、コンピュータ２６は信号３に応じて印刷が完了したことを示す特定の可聴音信号を発し、また、信号４に応じて電子メールを受信したことを示す。異なる可聴音信号を発することができる。しかし、テレビジョン２４と電子レンジ２８は、信号３または信号４の何れかに応じて、コンピュータ２６の汎用表現である可聴音信号を発することができる。代わりに、全ての装置がイベントを表す信号に応じて同じ可聴音信号が発することができる。
【００１１】
生成された電気的可聴音信号は、何れの実用的な手段によって送信し発することができる。現在において、電気線を介して情報を送ることができる装置が幾つもある。例えば、インターコムやスピーカシステムがあり、これらは、電気的アウトレットにプラグインし従来のワイヤリングを介して同じ建物内の他のアウトレットに情報を転送する。電気的信号は、無線周波数や赤外線光、あるいは異なる方法の組み合わせによって送信し受信することができる。可聴音信号はスピーカ、ベル、ブザー、笛、チャイムを介して発することができる。実施例においては、装置の間で信号を送信するのに無線周波数信号を用い、指定された装置に信号を発するのにスピーカを用いる。多くの装置の間で信号を送信し多くの装置に信号を発する他の多くの方法も周知である。
【００１２】
図３において、電子レンジ５０と火災報知機６０はそれぞれネットワーキング回路５１と６１を備える。ネットワーキング回路５１はアンテナ５２、検出器／送信器５４、ＣＯＤＥＣ５５、ＤＳＰ５６、Ｄ／Ａコンバーター５７、スピーカ５８を備える。同様にネットワーキング回路６１はアンテナ６２、検出器／送信器６４、ＣＯＤＥＣ６５、ＤＳＰ６６、Ｄ／Ａコンバーター６７、スピーカ６８を備える。火災が発生すると、ＤＳＰ６６  は火災検出器６３  から信号を受ける。ＤＳＰ６６  はＤ／Ａコンバーター６７によるＤ／Ａ変換の後にスピーカ６８を通して火災報知機６０から発せられた信号を出力する。
【００１３】
また、ＤＳＰ６６  は電子レンジ５０のような他の装置に送信する信号を生成する。ＤＳＰ６６  から出力されるデジタル信号はＣＯＤＥＣ６５によってアナログに変換される。アナログに変換した後、そのアナログ信号が検出器／送信器６４に入りアンテナ６２を介して火災報知機６０から送出される。送信信号はアンテナ５２を介して電子レンジ５０に入り、検出器／送信器５４により検出される。検出された信号はＣＯＤＥＣ５５によってデジタルに変換されＤＳＰ５６により解釈される。ＤＳＰ５６はＤ／Ａコンバーター５７によるＤ／Ａ変換の後にスピーカ５８を通して電子レンジ５０によって発せられる信号を送る。上で記した信号送信と可聴音生成は電子レンジのインタフェース回路５３によって発生され電子レンジ５０や火災報知機６０によって発せられた信号に対しても同様に適用することができる。
【００１４】
別の実施例において、ＤＳＰ５６と６６は受信信号を発するべきかを決める更なる機能を行う。例えば、寝室における電話機２２がキッチンにおける電子レンジ２８からの信号５を無視することがよい場合がある。しかし、火災警報機３２からの信号７を全ての装置から発するべき場合がある。このことは、発生信号に異なるステータスレベルに割り当てることで実現できる。例えば、火災警報機３２からの信号７はネットワーク上の全てのデバイスから発せられるステータス位置信号を発生する。他の装置には異なるステータスレベル、およびその装置から他の装置の信号を発するために満たされなければいけないしきい値ステータスレベルを割り当てることができる。各装置におけるＤＳＰはこのような方式を実装するように容易にプログラミングすることができる。代わりに、各装置のＤＳＰは対応装置が発しまたは発しないと可聴音信号に対してセットするように個別にプログラミングすることができる。
【００１５】
図４に示す別の実施例において、ネットワーク全体で信号を受信し配信する手段として中央制御ボックス９０を用いる。中央制御ボックス９０は、ネットワーク内の各装置から信号を受けネットワーク上の装置を選択するように配信するように設計されている。
【００１６】
図４において、電子レンジ７０と火災警報機８０はそれぞれネットワーキング回路７１と８１を備える。ネットワーキング回路７１はアンテナ７２、検出器／送信器７４、ＣＯＤＥＣ７５、ＤＳＰ７６、Ｄ／Ａコンバーター７７、スピーカ７８を備える。同様に、ネットワーキング回路８１はアンテナ８２  、検出器／送信器８４、ＣＯＤＥＣ８５、ＤＳＰ８６、Ｄ／Ｃコンバーター８７、スピーカ８８を備える。火災が発生すると、ＤＳＰ８６は火災検出器８３から信号を受ける。ＤＳＰ８６はＤ／Ｃコンバーター８７によるＤ／Ａ変換の後にスピーカ８８を通して火災警報機８０から発せられる信号を出力する。
【００１７】
また、ＤＳＰ８６は中央制御ボックス９０に送信するための信号を生成する。ＤＳＰ８６から出力されるデジタル信号はＣＯＤＥＣ８５によってアナログに変換される。アナログに変換した後、そのアナログ信号は検出器／送信器８４に入り、アンテナ８２  を介して火災警報機８０から送出される。
【００１８】
その送信信号はアンテナ９２を介して中央制御ボックス９０に入り、検出器／送信器９４によって検出される。その信号はＣＯＤＥＣ９５によってデジタルに変換されＤＳＰ９６による処理のために信号を整える。ＤＳＰ９６は所定の命令を用いて信号を処理し、これは入力装置９７によってユーザが更新することができる。ＤＳＰ９６はネットワーク上の全ての装置に信号を送ったり、どの信号がどの装置から発せられるべきかを決めるハウスクリアリング信号として機能することができる。また、中央制御ボックス９０は中央制御ボックス９０にて可聴音信号を発するためにＤ／Ａコンバーター９３とスピーカ９８を備えることができる。ＤＳＰ９６を利用することによる柔軟性のため特定の装置からの特定の信号の発生は多くの異なる方法で行うことができるように制御することができる。例えば、ネットワーク上の各装置はユニークなアドレスを割り当てられることができる。ＤＳＰ９６はどの装置が信号を発すべきかをその信号にユニークなアドレスを付けることによって命令することができ、異なる装置のＤＳＰがその信号を解釈しその装置のユニークなアドレスが付けられた信号のみを発するようにすることができる。ＤＳＰ９６はこのような方式を実装するように容易にプログラミングすることができる。
【００１９】
処理された信号はＣＯＤＥＣ９５によってアナログに戻され、アンテナ９２を介して検出器／送信器９４によって送信される。中央制御ボックス９０により送信された信号はアンテナ７２を介して電子レンジ７０に入り、検出器／送信器７４によって検出される。検出された信号はＣＯＤＥＣ７５によってデジタルに変換されＤＳＰ７６によって解釈される。ＤＳＰ７６はＤ／Ａコンバーター７７によるＤ／Ａ変換の後にスピーカ７８によって電子レンジ７０から発せられる信号を送る。このような信号の送信および発生は、電子レンジインターフェース７３によって発生され電子レンジ７０、火災警報機８０、中央制御ボックス９０によって発せられる信号に同等に適用することができる。
【００２０】
中央制御ボックス９０は信号を送受信する異なる方法を備えることができる。例えば、Ａ／Ｃワイヤリング、無線周波数、赤外線光、電話線、ＬＡＮ線の１もしくは複数である。複数の送受信媒体を用い適切な媒体に送信信号を進ませることにより、システムの柔軟性を向上することができる。例えば、図２において、携帯型装置４２は無線周波数で中央制御ボックス２０と通信することができる。携帯型装置４２はユーザ４０の便利な位置に運ばれたり配置され、携帯型装置４２が中央制御ボックス２０の通信の距離範囲内である限りネットワーク上で発せられる全てのイベントをモニタリングできる。また、火災警報機３２からの無線周波数信号を洗濯乾燥機３０のような、家の現存するＡＣワイヤリングのみを通して中央制御ボックス２０につながれるような装置から発することができる。
【００２１】
異なる送受信信号を用いることにより、回路５１、６１、７１、８１、９１のために異なるコンポーネントを用いることとなる。例えば、もし図３における装置がハードワイヤーとされたＬＡＮを介して接続されていれば、ＤＳＰ６６  からＤＳＰ５６へと信号をデジタルで送ることができる。従って、アンテナ５２と６２、検出器／送信器５４と６４、ＣＯＤＥＣ５５と６５は必要なくなる。送信方法に応じて同様な変更は容易にすることができる。
【００２２】
図５は中央制御ボックス１００が利用することができる多くの異なる通信媒体を示す。中央制御ボックス１００は入力装置１０４を、ＡＣワイヤリング接続１０８、ＬＡＮ接続１１０、アンテナ１１２、光検出器１１８、光送信器１２０、スピーカ１２４を介してホーム環境とインタフェースするＤＳＰ１０２を含む。ＤＳＰ１０２はバッファ１０６、検出器／送信器１１４、ＣＯＤＥＣ１１６、Ｄ／Ａコンバーター１２２のような様々な媒体にて用いるために信号を整える適切なサーキットリーを備える。多くの媒体にて信号を生成し受信する詳細は周知である。中央制御ボックス１００のＤＳＰ１０２は、１つの媒体で信号を受け１もしくは複数の選択された媒体で信号を送信するように操作することを可能にする。例えば、中央制御ボックス１００はアンテナ１１２を介して火災警報から信号を受け、ＡＣワイヤリング接続１０８を介して電子レンジに、ＬＡＮ接続１１０を介してコンピュータに信号を送ることができる。図５に示した幾つかの種類の媒体は単に例であり本発明で用いる媒体は何れの媒体であってもよく、これには更に多くの媒体を用いたり、少ない媒体を用いる場合を含む。
【図面の簡単な説明】
【図１】従来技術の電気装置を含む家の図。
【図２】本発明に従って電気装置を含む家の図。
【図３】本発明に従う通信サーキットリーのブロック図。
【図４】本発明に従う別の通信サーキットリーのブロック図。
【図５】本発明に従う中央制御ボックスのブロック図。
【符号の説明】
１０  家屋
２０、９０  中央制御ボックス
２２  電話機
２４  テレビジョン
２６  コンピュータ
２８、５０、７０  電子レンジ
３０  洗濯乾燥機
３２、６０、８０  火災警報機
４０  ユーザ
４２  携帯型装置
５１、６１、７１、８１  ネットワーキング回路
５２、６２、７２、８２、９２  アンテナ
５４、６４、７４、８４、９４  検出器／送信器
５５、６５、７５、８５、９５  ＣＯＤＥＣ
５６、６６、７６、８６、９６  ＤＳＰ
５７、６７、７７、８７、９３  Ｄ／Ａコンバーター
５８、６８、７８、８８、９８  スピーカ
６３、８３  火災検出器
７３  電子レンジインタフェース
９７、１０４  入力装置
１００  中央制御ボックス
１０２  ＤＳＰ
１０４  入力装置
１０６  バッファ
１０８  ＡＣワイヤリング接続
１１０  ＬＡＮ接続
１１２  アンテナ
１１４  検出器／送信器
１１６  ＣＯＤＥＣ
１１８  光検出器
１２０  光送信器
１２２  Ｄ／Ａコンバーター
１２４  スピーカ
【図１】
0003953707.tif 000003
【図２】
0003953707.tif 000004
【図３】
0003953707.tif 000005
【図４】
0003953707.tif 000006
【図５】
0003953707.tif 000007